(57)【要約】【課題】ユーザの利便を図り、且つユーザの意図する撮影を可能とする。【解決手段】制御領域（ＡＡ〜ＤＦ）に区画されたスルー画像をＬＣＤ（２０）に表示する。ユーザがＬＣＤ（２０）を直接触れることで、制御領域は仮選択される。隣接する制御領域が仮選択された場合、互いに隣接する制御領域を全体として１つの制御領域として処理する。シャッタボタン（１７）の押圧操作によって選択が確定し、制御領域毎に所定の処理を施す。【選択図】図１０
2008092009.tif 000002
【特許請求の範囲】
【請求項１】
被写体を撮像して画像を取得する撮像手段と、
前記画像を複数の制御領域に区画した状態で表示するモニタと、
操作されることによって前記制御領域を選択する選択手段と、
選択された前記制御領域毎に所定の処理を施す処理手段とを備え、
前記処理手段は、隣接する前記制御領域が選択された場合、その隣接する前記制御領域を全体として１つの制御領域として所定の前記処理を施すことを特徴とする撮像装置。
【請求項２】
前記処理手段は、顔領域を抽出する顔抽出処理を行う顔抽出手段であることを特徴とする請求項１記載の撮像装置。
【請求項３】
前記顔抽出手段は、複数の前記制御領域が選択された場合、所定の前記制御領域から順に前記顔抽出処理を行うことを特徴とする請求項２記載の撮像装置。
【請求項４】
前記顔抽出処理は、前記選択手段によって選択された前記制御領域から順に行われることを特徴とする請求項３記載の撮像装置。
【請求項５】
前記顔抽出処理は、前記画像の中心部に近い前記制御領域から順に行われることを特徴とする請求項３記載の撮像装置。
【請求項６】
前記顔抽出処理は、サイズの大きい前記制御領域から順に行われることを特徴とする請求項３記載の撮像装置。
【請求項７】
選択された前記制御領域から顔領域が抽出されない場合に警告を発する未抽出警告手段を備えたことを特徴とする請求項２ないし６いずれか記載の撮像装置。
【請求項８】
前記モニタが前記未抽出警告手段であることを特徴とする請求項７記載の撮像装置。
【請求項９】
前記未抽出警告手段として、被写体に対して光を発する発光手段を備えていることを特徴とする請求項７又は８記載の撮像装置。
【請求項１０】
前記顔抽出手段は、選択された前記制御領域から顔領域が抽出されない場合、選択されなかった前記制御領域に前記顔抽出処理を施すことを特徴とする請求項２ないし９いずれか記載の撮像装置。
【請求項１１】
前記顔領域に基づいて露光条件を決定する露光条件制御手段と、
操作されることによって前記撮像手段に本撮影を実行させる操作手段と、
複数の顔領域が抽出された場合に、前記操作手段の１回の操作で、前記露光条件制御手段に複数の露光条件を決定させ、前記撮像手段に露光条件の異なる本撮影を連続実行させる連写制御手段とを備えたことを特徴とする請求項２ないし１０いずれか記載の撮像装置。
【請求項１２】
被写体までの撮影距離を測定する距離センサと、
複数の顔領域が抽出された場合に各被写体までの撮影距離を比較して、その差分値を算出する差分値算出手段と、
前記差分値が所定の範囲内であるか否かを判定する第１判定手段とを備え、
前記露光条件制御手段は、所定の範囲内に前記差分値が収まる被写体の顔領域を集合として分類し、その集合毎に露光条件を決定することを特徴とする請求項１１記載の撮像装置。
【請求項１３】
前記所定の範囲は、焦点の合った被写体像が得られる範囲を意味する被写界深度であることを特徴とする請求項１２記載の撮像装置。
【請求項１４】
前記露光条件制御手段は、前記顔領域が２つ以上の集合に分類される場合、絞りを絞って被写界深度を深くし、改めて前記顔領域を集合として分類し直し、その集合毎に露光条件を決定することを特徴とする請求項１３記載の撮像装置。
【請求項１５】
前記撮像手段が本撮影を連続実行する場合に焦点距離を撮影順に大きく又は小さくする焦点距離制御手段を備え、
前記撮像手段は、一番小さい又は大きい焦点距離の本撮影から順に連続実行することを特徴とする請求項１２ないし１４いずれか記載の撮像装置。
【請求項１６】
前記顔領域が複数の集合に分類された場合、前記露光条件制御手段は、所定の前記集合から順に露光条件を決定し、前記撮像手段は、その決定される順に従って各露光条件で本撮影を連続実行することを特徴とする請求項１２ないし１４いずれか記載の撮像装置。
【請求項１７】
露光条件は、前記画像の中心部に近い前記顔領域を含む集合から順に決定されることを特徴とする請求項１６記載の撮像装置。
【請求項１８】
露光条件は、サイズの大きい前記顔領域を含む集合から順に決定されることを特徴とする請求項１６記載の撮像装置。
【請求項１９】
前記顔抽出処理は、前記画像上をサイズ不変のサーチ領域をスライドさせながらパターンを識別して顔領域を抽出する処理であり、
撮影距離が所定の距離より近い場合に前記画像のサイズを縮小し、撮影距離が所定の距離より遠い場合に前記画像のサイズを拡大する画像サイズ制御手段を備え、
前記顔抽出手段は、撮影距離が所定の距離より近い場合、サイズが縮小された前記画像に前記顔抽出処理を施し、撮影距離が所定の距離より遠い場合、サイズが拡大された前記画像に前記顔抽出処理を施すことを特徴とする請求項１２ないし１８いずれか記載の撮像装置。
【請求項２０】
ズームレンズが所定の位置から望遠側にある場合、前記画像サイズ制御手段は、前記画像のサイズを縮小し、前記顔抽出手段は、サイズが縮小された前記画像に前記顔抽出処理を施し、
前記ズームレンズが所定の位置から広角側にある場合、前記画像サイズ制御手段は、前記画像のサイズを拡大し、前記顔抽出手段は、サイズが拡大された前記画像に前記顔抽出処理を施すことを特徴とする請求項１９記載の撮像装置。
【請求項２１】
顔領域が抽出されない場合、前記画像サイズ制御手段は、前記画像のサイズを縮小し、前記顔抽出手段は、サイズが縮小された前記画像に改めて前記顔抽出処理を施すことを特徴とする請求項１９又は２０記載の撮像装置。
【請求項２２】
前記顔抽出処理は、サイズ不変とした前記画像上を、サイズ可変のサーチ領域をスライドさせながらパターンを識別して顔領域を抽出する処理であり、
前記顔抽出手段は、撮影距離が所定の距離より近い場合、前記サーチ領域のサイズを拡大して、拡大された前記サーチ領域毎に前記顔抽出処理を施し、
撮影距離が所定の距離より遠い場合、前記サーチ領域のサイズを縮小して、縮小された前記サーチ領域毎に前記顔抽出処理を施すことを特徴とする請求項１２ないし１８いずれか記載の撮像装置。
【請求項２３】
前記顔抽出手段は、ズームレンズが所定の位置から望遠側にある場合、前記サーチ領域のサイズを拡大して、拡大された前記サーチ領域毎に前記顔抽出処理を施し、
前記ズームレンズが所定の位置から広角側にある場合、前記サーチ領域のサイズを縮小して、縮小された前記サーチ領域毎に前記顔抽出処理を施すことを特徴とする請求項２２記載の撮像装置。
【請求項２４】
前記顔抽出手段は、顔領域が抽出されない場合、前記サーチ領域のサイズを拡大して、拡大された前記サーチ領域毎に改めて前記顔抽出処理を施すことを特徴とする請求項２２又は２３記載の撮像装置。
【請求項２５】
被写体までの距離を前記顔領域のサイズから推定する撮影距離推定手段と、
前記距離センサによって測定される撮影距離と、前記撮影距離推定手段によって推定される撮影距離とを比較して、その差異値を算出する差異値算出手段と、
前記差異値が所定の閾値を超えるか否かを判定する第２判定手段とを備え、
前記露光条件制御手段は、前記差異値が前記閾値を超えない場合、前記撮影距離推定手段によって推定された撮影距離に基づいて露光条件を決定することを特徴とする請求項１２ないし２４いずれか記載の撮像装置。
【請求項２６】
前記差異値が前記閾値を超える場合に前記顔領域から瞬きの有無を検知する瞬き検知手段を備え、
前記露光制御手段は、前記瞬き検知手段によって瞬きが検出される場合、前記撮影距離推定手段によって推定された撮影距離に基づいて露光条件を決定することを特徴とする請求項１９ないし２５いずれか記載の撮像装置。
【請求項２７】
前記露光制御手段は、前記瞬き検知手段によって瞬きが検出されない場合、前記距離センサによって測定された撮影距離に基づいて露光条件を決定することを特徴とする請求項２６記載の撮像装置。
【請求項２８】
前記瞬き検知手段によって瞬きが検出されない場合に警告を発する未検出警告手段を備えたことを特徴とする請求項２６又は２７記載の撮像装置。
【請求項２９】
前記モニタが前記未検出警告手段であることを特徴とする請求項２８記載の撮像装置。
【請求項３０】
前記操作手段の１回の操作で、前記撮像手段が本撮影を何回実行するかを通知する通知手段を備えたことを特徴とする請求項１１ないし２９いずれか記載の撮像装置。
【請求項３１】
前記モニタが前記通知手段であることを特徴とする請求項３０記載の撮像装置。
【請求項３２】
前記モニタは、前記撮像手段によって本撮影が連続実行されている時に、直前の本撮影によって取得された前記画像を順次表示することを特徴とする請求項１１ないし３１いずれか記載の撮像装置。
【請求項３３】
撮影レンズと、この撮影レンズを駆動する駆動モータと、この駆動モータの電源となる第１電池とを内蔵するレンズユニットと、
撮影用電源となるレンズ側電池を備え、前記レンズユニットが着脱自在に装着される装置本体とから構成されることを特徴とする請求項１１ないし３２いずれか記載の撮像装置。
【請求項３４】
被写体を撮像して画像を取得する撮像手段と、前記画像を表示するモニタとを備えた撮像装置による撮影方法において、
前記画像を複数の制御領域に区画した状態で前記モニタに表示する区画表示ステップと、
選択手段が操作されることによって前記制御領域を選択する選択ステップと、
選択された前記制御領域毎に所定の処理を施す処理ステップとを有し、
隣接する前記制御領域が選択された場合、前記処理ステップでは、その隣接する前記制御領域を全体として１つの制御領域として所定の前記処理を施すことを特徴とする撮影方法。
【請求項３５】
前記処理ステップは、顔領域を抽出する顔抽出処理を行う顔抽出ステップであることを特徴とする請求項３４記載の撮影方法。
【請求項３６】
複数の前記制御領域が選択された場合、所定の前記制御領域から順に前記顔抽出処理を行うことを特徴とする請求項３５記載の撮影方法。
【請求項３７】
前記顔抽出処理は、選択された前記制御領域から順に行われることを特徴とする請求項３６記載の撮影方法。
【請求項３８】
前記顔抽出処理は、前記画像の中心部に近い前記制御領域から順に行われることを特徴とする請求項３６記載の撮影方法。
【請求項３９】
前記顔抽出処理は、サイズの大きい前記制御領域から順に行われることを特徴とする請求項３６記載の撮影方法。
【請求項４０】
選択された前記制御領域から顔領域が抽出されない場合に警告を発することを特徴とする請求項３５ないし３９いずれか記載の撮影方法。
【請求項４１】
前記警告は、前記モニタへの表示によることを特徴とする請求項４０記載の撮影方法。
【請求項４２】
前記警告は、発光手段の被写体に対する発光によることを特徴とする請求項４０又は４１記載の撮影方法。
【請求項４３】
選択された前記制御領域から顔領域が抽出されない場合、選択されなかった前記制御領域に前記顔抽出処理を施すことを特徴とする請求項３５ないし４２いずれか記載の撮影方法。
【請求項４４】
複数の顔領域が抽出された場合に、前記撮像手段に本撮影を実行させる操作手段が１回操作されると、前記顔領域に基づいて露光条件を決定する露光条件決定ステップを実行して複数の露光条件を決定し、露光条件の異なる本撮影を連続実行することを特徴とする請求項３５ないし４３いずれか記載の撮影方法。
【請求項４５】
前記露光条件決定ステップは、
距離センサによって被写体までの撮影距離を測定する距離測定ステップと、
複数の顔領域が抽出された場合に各被写体までの撮影距離を比較して、その差分値を算出する差分値算出ステップと、
前記差分値が所定の範囲内であるか否かを判定する第１判定ステップと、
所定の範囲内に前記差分値が収まる被写体の顔領域を集合として分類する分類ステップとを含み、
顔領域の集合毎に露光条件を決定することを特徴とする請求項４４記載の撮影方法。
【請求項４６】
前記所定の範囲は、焦点の合った被写体像が得られる範囲を意味する被写界深度であることを特徴とする請求項４５記載の撮影方法。
【請求項４７】
前記露光条件決定ステップは、前記分類ステップで前記顔領域が２つ以上の集合に分類される場合に、絞りを絞って被写界深度を深くし、改めて前記顔領域を集合として分類する再分類ステップを含むことを特徴とする請求項４６記載の撮影方法。
【請求項４８】
一番小さい又は大きい焦点距離の本撮影から順に連続実行することを特徴とする請求項４５ないし４７いずれか記載の撮影方法。
【請求項４９】
前記顔領域が複数の集合に分類された場合、所定の前記集合から順に露光条件を決定し、その決定順に従って各露光条件で本撮影を連続実行することを特徴とする請求項４５ないし４７いずれか記載の撮影方法。
【請求項５０】
露光条件は、前記画像の中心部に近い前記顔領域を含む集合から順に決定されることを特徴とする請求項４９記載の撮影方法。
【請求項５１】
露光条件は、サイズの大きい前記顔領域を含む集合から順に決定されることを特徴とする請求項４９記載の撮影方法。
【請求項５２】
前記露光条件決定ステップは、
被写体までの距離を前記顔領域のサイズから推定する距離推定ステップと、
前記距離センサによって測定される撮影距離と、前記顔領域のサイズから推定される撮影距離とを比較して、その差異値を算出する差異値算出ステップと、
前記差異値が所定の閾値を超えるか否かを判定する第２判定ステップとを含み、
前記差異値が前記閾値を超えない場合、前記顔領域のサイズから推定された撮影距離に基づいて露光条件を決定することを特徴とする請求項４５ないし５１いずれか記載の撮影方法。
【請求項５３】
前記露光条件決定ステップは、
前記差異値が前記閾値を超える場合に前記顔領域から瞬きの有無を検知する瞬き検知ステップを含み、
瞬きが検出される場合、前記顔領域のサイズから推定された撮影距離に基づいて露光条件を決定することを特徴とする請求項５２記載の撮影方法。
【請求項５４】
瞬きが検出されない場合、前記距離センサによって測定された撮影距離に基づいて露光条件を決定することを特徴とする請求項５３記載の撮影方法。
【請求項５５】
瞬きが検出されない場合に警告を発することを特徴とする請求項５３又は５４記載の撮影方法。
【請求項５６】
瞬きが検出されない場合に発される前記警告は、前記モニタへの表示によることを特徴とする請求項５５記載の撮影方法。
【請求項５７】
前記操作手段が１回操作されると、前記撮像手段が本撮影を何回実行するかを通知することを特徴とする請求項４４ないし５６いずれか記載の撮影方法。
【請求項５８】
本撮影の実行回数の通知は、前記モニタへの表示によることを特徴とする請求項５７記載の撮影方法。
【請求項５９】
本撮影が連続実行されている時に、直前の本撮影によって取得された前記画像を順次前記モニタに表示することを特徴とする請求項４４ないし５８いずれか記載の撮影方法。
【発明の詳細な説明】
【技術分野】
【０００１】
本発明は、撮像装置及び撮影方法に関する。
【背景技術】
【０００２】
撮像装置として、ＣＣＤイメージセンサなどの固体撮像素子で撮像した被写体像をデジタルの画像データに変換し、内蔵メモリやメモリカードに記録するデジタルカメラが普及している。このようなデジタルカメラは、一般的に、レリーズボタンの半押しに伴って、撮影範囲の中央部に撮影レンズの焦点が合うように自動的に焦点調整が行われる。このため、主要被写体が焦点の合う撮影範囲の中央部にない場合には、焦点が背景に合ってしまい、主要被写体のピントがぼけることがある。
【０００３】
上記のような不都合を防止するためには、ユーザが、主要被写体が撮影範囲の中央部に位置するようにフレーミングを行い、レリーズボタンを半押しして一度焦点調整を行った後、所望の撮影範囲となるように再度フレーミングを行って撮影する必要がある。
【０００４】
このような煩雑な操作をなくすため、近年では、画像の解析を行って顔領域を抽出し、その顔領域に基づいて自動的に焦点調整する撮像装置がある（例えば、特許文献１、２参照）。
【特許文献１】特開２００４−０２０６２８号公報
【特許文献２】特開２００６−１４５６２９号公報
【発明の開示】
【発明が解決しようとする課題】
【０００５】
しかしながら、特許文献１の撮像装置では、複数の顔領域（被写体）が抽出された場合、撮影距離の一番近い被写体に焦点を合わせた焦点調整が行われるので、ユーザの意図する撮影ができないこともある。
【０００６】
一方、特許文献２の撮像装置は、ユーザに選択された顔領域（被写体）に合わせて焦点調整が行われるので、ユーザの意図する撮影が可能である。しかしながら、顔領域を抽出する顔抽出処理を画像全体から行うため、選択されなかった顔領域を抽出した処理時間などが無駄である。
【０００７】
本発明は、上記課題を解決するためのものであり、撮影に関する処理時間を短縮してユーザの利便を図り、そしてユーザの意図する撮影を可能とする撮像装置、及びそれを用いた撮影方法を提供することを目的とする。
【課題を解決するための手段】
【０００８】
上記目的を達成するために、本発明の撮像装置は、被写体を撮像して画像を取得する撮像手段と、画像を複数の制御領域に区画した状態で表示するモニタと、操作されることによって制御領域を選択する選択手段と、選択された制御領域毎に所定の処理を施す処理手段とを備え、処理手段は、隣接する制御領域が選択された場合、その隣接する制御領域を全体として１つの制御領域として所定の処理を施すことを特徴とする。
【０００９】
なお、処理手段は、顔領域を抽出する顔抽出処理を行う顔抽出手段であることが好ましい。
【００１０】
また、顔抽出手段は、複数の制御領域が選択された場合、所定の制御領域から順に顔抽出処理を行うことが好ましい。具体的には、選択手段によって選択された制御領域から順に行われること、画像の中心部に近い制御領域から順に行われること、又は、サイズの大きい制御領域から順に行われることが挙げられる。
【００１１】
また、選択された制御領域から顔領域が抽出されない場合に警告を発する未抽出警告手段を備えたことが好ましい。具体的には、モニタが未抽出警告手段であることや、未抽出警告手段として、被写体に対して光を発する発光手段を備えていることが挙げられる。
【００１２】
また、顔抽出手段は、選択された制御領域から顔領域が抽出されない場合、選択されなかった制御領域に顔抽出処理を施すことが好ましい。
【００１３】
また、顔領域に基づいて露光条件を決定する露光条件制御手段と、操作されることによって撮像手段に本撮影を実行させる操作手段と、複数の顔領域が抽出された場合に、操作手段の１回の操作で、露光条件制御手段に複数の露光条件を決定させ、撮像手段に露光条件の異なる本撮影を連続実行させる連写制御手段とを備えたことが好ましい。
【００１４】
また、被写体までの撮影距離を測定する距離センサと、複数の顔領域が抽出された場合に各被写体までの撮影距離を比較して、その差分値を算出する差分値算出手段と、差分値が所定の範囲内であるか否かを判定する第１判定手段とを備え、露光条件制御手段は、所定の範囲内に差分値が収まる被写体の顔領域を集合として分類し、その集合毎に露光条件を決定することが好ましい。
【００１５】
また、所定の範囲は、焦点の合った被写体像が得られる範囲を意味する被写界深度であることが好ましい。
【００１６】
また、露光条件制御手段は、顔領域が２つ以上の集合に分類される場合、絞りを絞って被写界深度を深くし、改めて顔領域を集合として分類し直し、その集合毎に露光条件を決定することが好ましい。
【００１７】
また、撮像手段が本撮影を連続実行する場合に焦点距離を撮影順に大きく又は小さくする焦点距離制御手段を備え、撮像手段は、一番小さい又は大きい焦点距離の本撮影から順に連続実行することが好ましい。
【００１８】
また、顔領域が複数の集合に分類された場合、露光条件制御手段は、所定の集合から順に露光条件を決定し、撮像手段は、その決定される順に従って各露光条件で本撮影を連続実行することが好ましい。具体的には、露光条件が画像の中心部に近い顔領域を含む集合から順に決定されること、又は、露光条件がサイズの大きい顔領域を含む集合から順に決定されることが挙げられる。
【００１９】
また、顔抽出処理は、画像上をサイズ不変のサーチ領域をスライドさせながらパターンを識別して顔領域を抽出する処理であり、撮影距離が所定の距離より近い場合に画像のサイズを縮小し、撮影距離が所定の距離より遠い場合に画像のサイズを拡大する画像サイズ制御手段を備え、顔抽出手段は、撮影距離が所定の距離より近い場合、サイズが縮小された画像に顔抽出処理を施し、撮影距離が所定の距離より遠い場合、サイズが拡大された画像に顔抽出処理を施すことが好ましい。
【００２０】
また、ズームレンズが所定の位置から望遠側にある場合、画像サイズ制御手段は、画像のサイズを縮小し、顔抽出手段は、サイズが縮小された画像に顔抽出処理を施し、ズームレンズが所定の位置から広角側にある場合、画像サイズ制御手段は、画像のサイズを拡大し、顔抽出手段は、サイズが拡大された画像に顔抽出処理を施すことが好ましい。
【００２１】
また、顔領域が抽出されない場合、画像サイズ制御手段は、画像のサイズを縮小し、顔抽出手段は、サイズが縮小された画像に改めて顔抽出処理を施すことが好ましい。
【００２２】
または、顔抽出処理は、サイズ不変とした画像上を、サイズ可変のサーチ領域をスライドさせながらパターンを識別して顔領域を抽出する処理であり、顔抽出手段は、撮影距離が所定の距離より近い場合、サーチ領域のサイズを拡大して、拡大されたサーチ領域毎に顔抽出処理を施し、撮影距離が所定の距離より遠い場合、サーチ領域のサイズを縮小して、縮小されたサーチ領域毎に顔抽出処理を施すことが好ましい。
【００２３】
また、顔抽出手段は、ズームレンズが所定の位置から望遠側にある場合、サーチ領域のサイズを拡大して、拡大されたサーチ領域毎に顔抽出処理を施し、ズームレンズが所定の位置から広角側にある場合、サーチ領域のサイズを縮小して、縮小されたサーチ領域毎に顔抽出処理を施すことが好ましい。
【００２４】
また、顔抽出手段は、顔領域が抽出されない場合、サーチ領域のサイズを拡大して、拡大されたサーチ領域毎に改めて顔抽出処理を施すことが好ましい。
【００２５】
また、被写体までの距離を顔領域のサイズから推定する撮影距離推定手段と、距離センサによって測定される撮影距離と、撮影距離推定手段によって推定される撮影距離とを比較して、その差異値を算出する差異値算出手段と、差異値が所定の閾値を超えるか否かを判定する第２判定手段とを備え、露光条件制御手段は、差異値が閾値を超えない場合、撮影距離推定手段によって推定された撮影距離に基づいて露光条件を決定することが好ましい。
【００２６】
また、差異値が閾値を超える場合に顔領域から瞬きの有無を検知する瞬き検知手段を備え、露光制御手段は、瞬き検知手段によって瞬きが検出される場合、撮影距離推定手段によって推定された撮影距離に基づいて露光条件を決定することが好ましい。
【００２７】
また、露光制御手段は、瞬き検知手段によって瞬きが検出されない場合、距離センサによって測定された撮影距離に基づいて露光条件を決定することが好ましい。
【００２８】
また、瞬き検知手段によって瞬きが検出されない場合に警告を発する未検出警告手段を備えたことが好ましい。具体的には、モニタが未検出警告手段であることが挙げられる。
【００２９】
また、操作手段の１回の操作で、撮像手段が本撮影を何回実行するかを通知する通知手段を備えたことが好ましい。具体的には、モニタが通知手段であることが挙げられる。
【００３０】
また、モニタは、撮像手段によって本撮影が連続実行されている時に、直前の本撮影によって取得された画像を順次表示することが好ましい。
【００３１】
また、撮影レンズと、この撮影レンズを駆動する駆動モータと、この駆動モータの電源となる第１電池とを内蔵するレンズユニットと、撮影用電源となるレンズ側電池を備え、レンズユニットが着脱自在に装着される装置本体とから構成されることが好ましい。
【００３２】
本発明の撮影方法は、被写体を撮像して画像を取得する撮像手段と、画像を表示するモニタとを備えた撮像装置による撮影方法であって、画像を複数の制御領域に区画した状態でモニタに表示する区画表示ステップと、選択手段が操作されることによって制御領域を選択する選択ステップと、選択された制御領域毎に所定の処理を施す処理ステップとを有し、隣接する制御領域が選択された場合、処理ステップでは、その隣接する制御領域を全体として１つの制御領域として所定の処理を施すことを特徴とする。
【００３３】
なお、処理ステップは、顔領域を抽出する顔抽出処理を行う顔抽出ステップであることが好ましい。
【００３４】
また、複数の制御領域が選択された場合、所定の制御領域から順に顔抽出処理を行うことが好ましい。具体的には、選択された制御領域から順に行われること、画像の中心部に近い制御領域から順に行われること、又は、サイズの大きい制御領域から順に行われることが挙げられる。
【００３５】
また、選択された制御領域から顔領域が抽出されない場合に警告を発することが好ましい。具体的には、モニタへの表示や、発光手段の被写体に対する発光が挙げられる。
【００３６】
また、選択された制御領域から顔領域が抽出されない場合、選択されなかった制御領域に顔抽出処理を施すことが好ましい。
【００３７】
また、複数の顔領域が抽出された場合に、撮像手段に本撮影を実行させる操作手段が１回操作されると、顔領域に基づいて露光条件を決定する露光条件決定ステップを実行して複数の露光条件を決定し、露光条件の異なる本撮影を連続実行することが好ましい。
【００３８】
また、露光条件決定ステップは、距離センサによって被写体までの撮影距離を測定する距離測定ステップと、複数の顔領域が抽出された場合に各被写体までの撮影距離を比較して、その差分値を算出する差分値算出ステップと、差分値が所定の範囲内であるか否かを判定する第１判定ステップと、所定の範囲内に差分値が収まる被写体の顔領域を集合として分類する分類ステップとを含み、顔領域の集合毎に露光条件を決定することが好ましい。
【００３９】
また、所定の範囲は、焦点の合った被写体像が得られる範囲を意味する被写界深度であることが好ましい。
【００４０】
また、露光条件決定ステップは、分類ステップで顔領域が２つ以上の集合に分類される場合に、絞りを絞って被写界深度を深くし、改めて顔領域を集合として分類する再分類ステップを含むことが好ましい。
【００４１】
また、一番小さい又は大きい焦点距離の本撮影から順に連続実行することが好ましい。
【００４２】
また、顔領域が複数の集合に分類された場合、所定の集合から順に露光条件を決定し、その決定順に従って各露光条件で本撮影を連続実行することが好ましい。具体的には、露光条件が画像の中心部に近い顔領域を含む集合から順に決定されること、又は、露光条件がサイズの大きい顔領域を含む集合から順に決定されることが挙げられる。
【００４３】
また、露光条件決定ステップは、被写体までの距離を顔領域のサイズから推定する距離推定ステップと、距離センサによって測定される撮影距離と、顔領域のサイズから推定される撮影距離とを比較して、その差異値を算出する差異値算出ステップと、差異値が所定の閾値を超えるか否かを判定する第２判定ステップとを含み、差異値が閾値を超えない場合、顔領域のサイズから推定された撮影距離に基づいて露光条件を決定することが好ましい。
【００４４】
また、露光条件決定ステップは、差異値が閾値を超える場合に顔領域から瞬きの有無を検知する瞬き検知ステップを含み、瞬きが検出される場合、顔領域のサイズから推定された撮影距離に基づいて露光条件を決定することが好ましい。
【００４５】
また、瞬きが検出されない場合、距離センサによって測定された撮影距離に基づいて露光条件を決定することが好ましい。
【００４６】
また、瞬きが検出されない場合に警告を発することが好ましい。具体的には、モニタへの表示が挙げられる。
【００４７】
また、操作手段が１回操作されると、撮像手段が本撮影を何回実行するかを通知することが好ましい。具体的には、モニタへの表示が挙げられる。
【００４８】
また、本撮影が連続実行されている時に、直前の本撮影によって取得された画像を順次モニタに表示することが好ましい。
【発明の効果】
【００４９】
本発明の撮像装置によれば、隣接する制御領域が選択された場合、その隣接する制御領域を全体として１つの制御領域として所定の処理を施すことより、処理回数を増やさずに済み、処理時間を短縮することができる。具体的には、処理手段が顔領域を抽出する顔抽出処理を行う顔抽出手段であることより、従来よりも撮影に掛かる時間を短縮してユーザの利便を図り、且つユーザの意図する撮影を可能とする。
【００５０】
また、選択された制御領域から顔領域が抽出されない場合に警告を発する未抽出警告手段を備えたことより、ユーザは、顔領域が抽出されなかったことを知ることができる。
【００５１】
また、未抽出警告手段として、被写体に対して光を発する発光手段を備えていることより、セルフ撮影時にも、ユーザは、顔領域が抽出されなかったことを知ることができる。
【００５２】
また、顔抽出手段は、選択された制御領域から顔領域が抽出されない場合、選択されなかった制御領域に顔抽出処理を施すことより、ユーザの操作ミスによる顔領域の抽出漏れを防止することができる。
【００５３】
また、露光条件の異なる本撮影を撮像手段に連続実行させる連写制御手段を備えたことより、１回のレリーズ操作で、焦点距離の異なる複数の被写体のそれぞれにピントを合わせた撮影を連続的に実行することができる。
【００５４】
また、露光条件制御手段は、所定の範囲内に差分値が収まる被写体の顔領域を集合として分類し、その集合毎に露光条件を決定することより、１回のレリーズ操作で、ピントの合う焦点距離が近い被写体毎に合焦させた撮影を連続的に実行することができる。
【００５５】
また、露光条件制御手段は、顔領域が２つ以上の集合に分類される場合、絞りを絞って被写界深度を深くし、改めて顔領域を集合として分類し直し、その集合毎に露光条件を決定することより、１回のレリーズ操作による撮影回数を抑えることができる。
【００５６】
また、撮像手段が本撮影を連続実行する場合に焦点距離を撮影順に大きく又は小さくする焦点距離制御手段を備え、撮像手段は、一番小さい又は大きい焦点距離の本撮影から順に連続実行することより、撮影レンズの駆動を一方向にすることができ、全ての撮影が完了するまでの時間を短縮することができる。
【００５７】
また、顔抽出手段は、撮影距離が所定の距離より近い場合、サイズが縮小された画像に顔抽出処理を施し、撮影距離が所定の距離より遠い場合、サイズが拡大された画像に顔抽出処理を施すことより、顔抽出処理の時間を従来よりも短縮してスムーズな撮影が可能である。
【００５８】
また、顔領域が抽出されない場合、画像サイズ制御手段は、画像のサイズを縮小し、顔抽出手段は、サイズが縮小された画像に改めて顔抽出処理を施すことより、顔領域の抽出漏れを防止することができる。
【００５９】
または、顔抽出手段は、撮影距離が所定の距離より近い場合、サイズが拡大されたサーチ領域毎に顔抽出処理を施し、撮影距離が所定の距離より遠い場合、サイズが縮小されたサーチ領域毎に顔抽出処理を施すことより、顔抽出処理の時間を従来よりも短縮してスムーズな撮影が可能である。
【００６０】
また、顔抽出手段は、顔領域が抽出されない場合、サーチ領域のサイズを拡大して、拡大されたサーチ領域毎に改めて顔抽出処理を施すことより、顔領域の抽出漏れを防止することができる。
【００６１】
また、被写体までの距離を顔領域のサイズから推定する撮影距離推定手段と、距離センサによって測定される撮影距離と、撮影距離推定手段によって推定される撮影距離とを比較して、その差異値を算出する差異値算出手段と、差異値が所定の閾値を超えるか否かを判定する第２判定手段とを備え、露光条件制御手段は、差異値が閾値を超えない場合、撮影距離推定手段によって推定された撮影距離に基づいて露光条件を決定することより、ピントがぼけた撮影になることを防止することができる。
【００６２】
また、操作手段の１回の操作で、撮像手段が本撮影を何回実行するかを通知する通知手段を備えたことより、ユーザは、連続撮影の回数を知ることができる。
【００６３】
また、モニタは、撮像手段によって本撮影が連続実行されている時に、直前の本撮影によって取得された画像を順次表示することより、ユーザは、撮影状況や残りの撮影回数を知ることができ、いわゆる手ぶれを防止することができる。
【００６４】
また、撮影レンズを駆動する駆動モータの電源となる第１電池を内蔵するレンズユニットと、撮影用電源となるレンズ側電池を備え、レンズユニットが着脱自在に装着される装置本体とから構成されることより、１回のレリーズ操作による焦点距離の異なる連続的な撮影をスムーズに実行することができる。
【発明を実施するための最良の形態】
【００６５】
［第１実施形態］
以下、本発明の第１実施形態のデジタルカメラ１１について図面を参照しながら説明する。但し、本発明はここに挙げる実施形態に限定されるものではない。
【００６６】
図１に示すように、デジタルカメラ１１の前面には、撮影レンズ１２、ストロボ発光部１３、補助光発光部１４、及び赤外線センサ１５が設けられている。撮影レンズ１２は、デジタルカメラ１１の本体内に導光し、撮影を可能にする。ストロボ発光部１３は、撮影と同期して発光し、露光量を調節する。補助光発光部１４は、発光して被写体に合図する。赤外線センサ１５は、詳しくは後述するが、被写体に対して赤外線を投光してその反射波を受信し、反射波の強度に応じて信号を出力する。
【００６７】
また、デジタルカメラ１１の上面には、電源ボタン１６、シャッタボタン１７、及び機能モードダイヤル１８の各種操作部が設けられている。電源ボタン１６は、押圧操作によって電源のＯＮ／ＯＦＦを切り替える。電源がＯＮの時、電池１９は各部へ電力を供給する。シャッタボタン１７は、押圧操作によって撮影を実行する。機能モードダイヤル１８は、つまみの切替えによってカメラモード、ビデオモード、再生モード、メニューモード、及び人物連写モードからモードを選択する。カメラモードは静止画を記録するモード、再生モードは記録した静止画を再生するモード、ビデオモードは動画を記録するモード、メニューモードは手動でホワイトバランス、ＩＳＯ感度、及び色調などの画像処理などの設定値を変更するモード、そして、人物連写モードは、詳しくは後述するように、シャッタボタン１７の１回の押圧操作で静止画を複数記録するモードである。
【００６８】
デジタルカメラ１１の背面には、図２に示すように、液晶表示部（ＬＣＤ）２０の他、ズームボタン２１、十字ボタン２２、及び決定ボタン２３などの操作部が設けられている。ＬＣＤ２０には、メニューモードでは各種設定画面が表示され、カメラモードや人物連写モードの撮影待機状態ではスルー画像が表示される。ユーザは、ＬＣＤ２０に表示されるスルー画像を見ながらシャッタボタン１７を押圧して撮影を実行する。また、デジタルカメラ１１の下面には、スピーカ４３（図３参照）が設けられている。
【００６９】
デジタルカメラ１１は、図３に示すように、ズームレンズ２４、絞り２５、フォーカスレンズ２６、及びＣＣＤイメージセンサ２７が設けられている。ズームレンズ２４は、変倍用レンズモータ２８の駆動によって変倍する。絞り２５は、アイリスモータ２９の駆動によって口径を変える。フォーカスレンズ２６は、合焦用レンズモータ３０の駆動によってピントを調整する。これらのモータ２８〜３０は、ＣＰＵ３１に接続されたモータドライバ３２〜３４を介して駆動が制御される。なお、上述した撮影レンズ１２（図１参照）は、ズームレンズ２４、絞り２５、及びフォーカスレンズ２６によって構成される。
【００７０】
ＣＣＤイメージセンサ２７は、撮影レンズ１２により結像する被写体像を撮像する。ＣＣＤイメージセンサ２７には、ＣＰＵ３１によって制御されるタイミングジェネレータ（ＴＧ）３５が接続され、このＴＧ３５から入力されるタイミング信号（クロックパルス）により、電子シャッタのシャッタ速度が決定される。
【００７１】
ＣＣＤイメージセンサ２７から得られる撮像信号は、ＣＤＳ（相関二重サンプリング回路）３６，ＡＭＰ（増幅器）３７に入力される。ＣＤＳ３６は、ＣＣＤイメージセンサ２７の各セルの蓄積電荷量に正確に対応したＲ，Ｇ，Ｂの画像データを出力し、ＡＭＰ３７は、画像データを増幅する。増幅された画像データは、Ａ／Ｄ変換器３８でデジタル信号に変換される。
【００７２】
画像入力コントローラ３９は、データバス４０を介してＣＰＵ３１に接続され、ＣＰＵ３１の制御命令に応じてＣＣＤイメージセンサ２７、ＣＤＳ３６、ＡＭＰ３７、及びＡ／Ｄ変換器３８を制御する。Ａ／Ｄ変換器３８から出力される画像データは、所定間隔毎に出力され、メモリ４１に格納される。メモリ４１には、画像データを格納する画像用メモリが設けられている。画像用メモリから読み出された画像データは、ＬＣＤドライバ４２に送られてＬＣＤ２０にスルー画像として表示される。なお、メモリ４１には、画像用メモリの他に、ワーク用メモリも設けられている。
【００７３】
画像信号処理回路４５は、階調変換、ホワイトバランス（ＷＢ）補正、γ補正などの各種画像処理を画像データに施す。画像信号処理回路４５で各種処理を施された画像データは、ＹＣ変換処理回路４６により輝度信号Ｙと色差信号Ｃｒ、Ｃｂとに変換される。圧縮伸長処理回路４７は、この変換された画像データに対して、所定の圧縮形式（例えば、ＪＰＥＧ形式）で画像圧縮を施す。圧縮された画像データは、メディアコントローラ４８を経由して記録媒体であるメモリカード４９に記録される。再生モードのときには、メモリカード４９から画像データが圧縮伸長処理回路４７に読み出され、圧縮伸長処理回路４７で伸長処理が施された後にＬＣＤ２０に記録画像が表示される。
【００７４】
ＣＰＵ３１には、上述した操作部の他に、ＲＯＭ５２が接続されている。ＲＯＭ５２には、各種制御用のプログラムや設定情報などが記録されている。ＣＰＵ３１は、これらの情報をＲＯＭ５２からメモリ４１に読み出して、各種処理を実行する。
【００７５】
データバス４０には、ズームレンズ２４の合焦位置が適切か否かを検出するＡＦ検出回路５３と、ＣＣＤイメージセンサ２７の電子シャッタのシャッタ速度、撮影感度、及び絞り２５の絞り値といった露光条件が撮影に適切か否かを検出するＡＥ検出回路５４と、ホワイトバランス補正が撮影に適切か否かを検出するＡＷＢ検出回路５５とが接続されている。各検出回路５３〜５５は、データバス４０を介してＣＰＵ３１に検出結果を逐次送信する。ＣＰＵ３１は、各検出回路５３〜５５から送信される検出結果に基づいて、ズームレンズ２４、絞り２５、フォーカスレンズ２６、ＣＣＤイメージセンサ２７などの動作を個別に制御する。
【００７６】
ＡＦ検出回路５３は、評価領域抽出部５７、及びコントラスト演算部５８を備え、コントラスト検出方式によりフォーカス制御を行う。評価領域抽出部５７は、画像の合焦状態を評価するために予め設定された１つ又は複数の合焦評価領域（ＡＦエリア）に基づいてメモリから合焦評価領域の画像成分を抽出する。コントラスト演算部５８は、各合焦評価領域の画像成分に基づいて画像のコントラスト値を求める。ＡＦ検出回路５３は、コントラスト演算部５８で得たコントラスト値に基づいて被写体までの撮影距離を算出し、そして画像の合焦状態を判定し、フォーカスレンズ２６の合焦位置を決定する。なお、カメラモードでは、シャッタボタン１７の半押し操作に伴って、コントラスト検出方式によるフォーカス制御が行われる。
【００７７】
ＡＥ・ＡＷＢ検出回路５４，５５は、所定間隔毎にメモリ４１に格納される画像データの輝度情報に基づいて適正な露光値、及びホワイトバランスの補正量を算出し、これらの情報をＣＰＵ３１に送る。ＣＰＵ３１は、得られる情報に基づいて電子シャッタ、絞り２５、及び画像処理の制御を連続的に行う。
【００７８】
データバス４０には、上記各回路５３〜５５の他、ＬＣＤ２０に表示されるスルー画像（画像）から顔領域を抽出する顔抽出処理を行う顔抽出回路６０と、顔抽出処理時に画像を拡大／縮小する画像サイズ制御回路６１と、被写体までの撮影距離を評価する撮影距離評価回路６２と、瞬きの有無を検知する瞬き検知処理を行う瞬き検知回路６３と、撮影距離に基づいて露光条件を決定する露光条件制御回路６４とが接続されている。各回路６０〜６４は、データバス４０を介してＣＰＵ３１に処理結果を逐次送信する。ＣＰＵ３１は、各回路６０〜６４から送信される処理結果に基づいて、各種制御をする。
【００７９】
［顔抽出処理］
顔抽出回路６０は、例えばBoostingと呼ばれるアルゴリズムを採用したパターン認識による顔抽出処理を行う。ＲＯＭ５２には、図４に示すような、例えば３２pixels×３２pixelsの正方領域の顔パターン６５が予め何種類か記憶されている。パターン認識による顔抽出処理は、図５（Ａ）に示すように、顔パターン６５をスライドさせながら画像上を検索し、顔パターン６５の同一の範囲と認定される領域を識別して顔領域として抽出する。そして、サイズの固定された顔パターン６５を利用して異なるサイズの被写体から顔領域を抽出するため、図５（Ｂ）に示すように、画像サイズ制御手段６１が画像を縮小してから、改めて顔パターン６５をスライドさせて画像上を検索し、顔領域を抽出する。
【００８０】
［被写体／近い］
ところで、被写体までの撮影距離の遠近によって、画像中の顔領域のサイズは異なる。被写体が所定の距離より近い場合、画像中の顔領域は、図６（Ａ）に示すように、顔領域は３２pixels×３２pixelsの正方領域の顔パターン６５より大きく、当初の画像のサイズのままでは抽出されない。そこで、ＡＦ検出回路５３によって算出された被写体までの撮影距離が所定の距離より近い場合には、図６（Ｂ）に示すように、先ず、画像サイズ制御回路６１が画像を縮小してから、顔パターン６５をスライドさせて画像上を検索し、顔領域を抽出する。
【００８１】
［被写体／遠い］
また、被写体が所定の距離より遠い場合、画像中の顔領域は、図７（Ａ）に示すように、顔領域は３２pixels×３２pixelsの正方領域の顔パターン６５より小さく、当初の画像のサイズのままでは抽出されない。そこで、ＡＦ検出回路５３によって算出された被写体までの撮影距離が所定の距離より遠い場合には、図７（Ｂ）に示すように、先ず、画像サイズ制御回路６１が画像を拡大してから、顔パターン６５をスライドさせて画像上を検索し、顔領域を抽出する。
【００８２】
［ズームレンズ／望遠（Tele）］
また、ズームレンズ２４が望遠（Tele）側や広角（Wile）側にあるかによって、画像中の顔領域のサイズは異なる。ズームレンズ２４が所定の位置から望遠（Tele）側にある場合、画像中の顔領域は、図８（Ａ）に示すように、顔領域は３２pixels×３２pixelsの正方領域の顔パターン６５より大きく、当初の画像のサイズのままでは抽出されない。そこで、ＣＰＵ３１によってズームレンズ２４が所定の位置から望遠（Tele）側であると判断された場合には、図８（Ｂ）に示すように、先ず、画像サイズ制御回路６１が画像を縮小してから、顔パターン６５をスライドさせて画像上を検索し、顔領域を抽出する。
【００８３】
［ズームレンズ／広角（Wide）］
また、ズームレンズ２４が所定の位置から広角（Wide）側にある場合、画像中の顔領域は、図９（Ａ）に示すように、顔領域は３２pixels×３２pixelsの正方領域の顔パターン６５より小さく、当初の画像のサイズのままでは抽出されない。そこで、ＣＰＵ３１によってズームレンズ２４が所定の位置から望遠（Tele）側であると判断された場合には、図９（Ｂ）に示すように、先ず、画像サイズ制御回路６１が画像を拡大してから、顔パターン６５をスライドさせて画像上を検索し、顔領域を抽出する。
【００８４】
［制御領域］
人物連写モードの撮影待機状態では、ＬＣＤ２０にスルー画像が表示される。スルー画像は、図１０に示すように、例えば４×６マスの格子状の制御領域に区画された状態で表示される。以下、説明の都合上、スルー画像は、上から下へ順にＡ〜Ｄの行に区切られ、左から右へＡ〜Ｆの列に区切られた状態の制御領域ＡＡ〜ＤＦとして表示されるものとする。なお、ＬＣＤ２０に表示される制御領域ＡＡ〜ＤＦは、ＣＰＵ３１によって制御されている。
【００８５】
［領域選択］
制御領域ＡＡ〜ＤＦは、ユーザがＬＣＤ２０を直接触れることで仮選択され、シャッタボタン１７の押圧操作で選択が確定する。制御領域ＡＡ〜ＤＦは、仮選択されると背景色が濃くなる。そして選択された制御領域は、顔抽出回路６０などによって顔抽出処理などの所定の処理が施される。図１１（Ａ）に示すように、甲田さん６６、乙川さん６７、丙山さん６８、及び丁林さん６９が映る画像から制御領域ＡＡ，ＢＥ，ＢＦ，ＣＢ，ＣＣ，ＣＥ，及びＣＦが仮選択されたとすると、例えば、仮選択された制御領域ＡＡ，ＢＥ，ＢＦ，ＣＢ，ＣＣ，ＣＥ，及びＣＦの背景色は濃くなり、ユーザは仮選択された制御領域ＡＡ，ＢＥ，ＢＦ，ＣＢ，ＣＣ，ＣＥ，及びＣＦを知ることができる。そして選択が確定すると、顔抽出処理により、甲田さん６６、乙川さん６７、及び丁林さん６９、の顔領域が抽出される。一方、選択されなかった制御領域ＢＤに映る丙山さん６８の顔領域は抽出されない。
【００８６】
［隣接する領域］
制御領域ＣＢ及びＣＣは互いに隣接しており、制御領域ＣＢ，ＣＣは、ＣＰＵ３１によって全体として１つの制御領域として扱われ、顔抽出回路６０などによって顔抽出処理などの所定の処理が施される。同様に、制御領域ＢＥ，ＢＦ，ＣＥ，及びＣＦは互いに隣接しており、制御領域ＢＥ，ＢＦ，ＣＥ，及びＣＦは、ＣＰＵ３１によって全体として１つの制御領域として扱われ、顔抽出回路６０などによって顔抽出処理などの所定の処理が施される。以下、説明の都合上、制御領域ＡＡを第１領域７０、制御領域ＣＢ，ＣＣを第２領域７１、制御領域ＢＥ，ＢＦ，ＣＥ，及びＣＦを第３領域７２とする。
【００８７】
［処理順］
顔抽出処理などの所定の処理は、選択された順に行われる。仮に、制御領域がＡＡ，ＣＥ，ＣＦ，ＣＢ，ＣＣ，ＢＥ，ＢＦの順に選択されたとする。この場合、領域６９〜７１毎に見て、最初に選択された制御領域は、第１領域７０は制御領域ＡＡ、第２領域７１は制御領域ＣＢ、第３領域７２は制御領域ＣＥである。これら３つの制御領域ＡＡ，ＣＢ，ＣＥの選択された順は、第１領域７０の制御領域ＡＡ，第３領域７２の制御領域ＣＥ，第２領域７１の制御領域ＣＢである。よって、選択された順の早い制御領域ＡＡを含む第１領域７０から、第３領域７２、第２領域７１の順に顔抽出処理などの所定の処理が行われる。つまり、甲田さん６６、丁林さん６９、乙川さん６７の順に顔領域が抽出される。
【００８８】
［エラー表示］
選択された制御領域から顔領域が抽出されない場合には、選択された制御領域から顔領域が抽出されなかった旨のエラー表示がＬＣＤ２０に表示される。例えば、図１２に示すように、被写体が映っていない制御領域ＢＥ，ＢＦのみが選択され、その制御領域ＢＥ，ＢＦに顔抽出処理が施された場合、顔領域は抽出されず、ＣＰＵ３１によってエラー表示７７がＬＣＤ２０に表示される。ユーザは、エラー表示７７が表示されることによって、選択した制御領域ＢＥ，ＢＦから顔領域が抽出されなかった旨を知ることができる。
【００８９】
［エラー表示／セルフ撮影］
しかしながら、シャッタボタン１７の押圧操作から所定時間遅れて撮影が実行されるセルフ撮影時には、ユーザは、エラー表示７７がＬＣＤ２０に表示されても、そのエラー表示７７を見ることができず、選択した制御領域から顔領域が抽出されなかった旨を知ることができない。そこで、セルフ撮影時には、選択された制御領域から顔領域が抽出されない場合、補助光発光部１４が発光する。ユーザは、補助光発光部１４が発光することによって、選択した制御領域から顔領域が抽出されなかった旨を知ることができる。
【００９０】
［再抽出］
顔領域が抽出されず、エラー表示７７が表示されたり補助光発光部１４が発光したりする場合、顔抽出回路６０は、図１３（Ａ）に示すように、顔領域が抽出されなかった制御領域ＢＥ，ＢＦの周囲の制御領域ＡＤ〜ＡＦ，ＢＤ，ＣＤ〜ＣＦを第１仮想領域７９として顔抽出処理を施す。第１仮想領域７９からも顔領域が抽出されなかった場合、顔抽出回路６０は、第１仮想領域７９の周囲の制御領域ＡＣ，ＢＣ，ＣＣ，ＤＣ〜ＤＦを第２仮想領域８０として顔抽出処理を施す。この例においては、第２仮想領域８０に含まれる制御領域ＤＥから顔領域が抽出される。仮に、第２仮想領域８０からも顔領域が抽出されなかった場合、顔抽出回路６０は、更に同様の処理を繰り返し行い、顔領域を抽出する。
【００９１】
［撮影距離推定］
撮影距離評価回路（撮影距離推定手段）６２は、ＲＯＭ５２に予め記憶された数値データに基づいて、抽出された顔領域のサイズから被写体までの撮影距離を推定する。顔領域のサイズと撮影距離とは、図１４（Ａ）に示すように、およそ反比例の関係にある。図１４（Ａ）は、横軸に撮影距離を表し、縦軸に抽出された顔領域のサイズを表している。また、撮影距離評価回路（差異値算出手段）６２は、推定した撮影距離と、ＡＦ検出回路５３（コントラスト演算部５８）で算出される撮影距離とを比較してその差異値を算出する。さらに、撮影距離評価回路（第２判定手段）６２は、差異値がＲＯＭ５２に予め記憶された所定の閾値を超えるか否かを判定する。なお、コントラスト演算部５８で得られるコントラスト値と撮影距離とは、図１４（Ｂ）に示すように、およそ正比例の関係にある。図１４（Ｂ）は、横軸に撮影距離を表し、縦軸にコントラスト値を表している。差異値が所定の閾値を超えないと判定された場合、後述する露光条件決定処理は、顔領域のサイズから推定された撮影距離に基づいて行われる。一方、差異値が所定の閾値を超えると判定された場合、瞬き検知回路６３による瞬き検知処理が行われる。
【００９２】
［瞬き検知処理］
撮影距離の推定値と算出値との差異値が所定の閾値を超えると判定された場合、瞬き検知回路６３は瞬きの有無を検知する瞬き検知処理を行う。瞬き検知回路６３は、例えば、赤外線センサ１５から出力される検出信号によって瞬きの有無を検知する。この検知方法は、反射する赤外線の強度が眼と瞼とで異なる点を利用している。瞬きが検出された場合、後述する露光条件決定処理は、顔領域のサイズから推定された撮影距離に基づいて行われる。一方、瞬きが検出されなかった場合、後述する露光条件決定処理は、ＡＦ検出回路５３で算出される撮影距離に基づいて行われる。
【００９３】
［第１の例／人物が被写体］
図１５（Ａ）に示すような人物が被写体の場合、図１５（Ｂ）に示す顔領域のサイズから推定される撮影距離と、図１５（Ｃ）に示すコントラスト値から算出される撮影距離とは基本的に略一致する。この場合、撮影距離評価回路６２は、これらの差異値が所定の閾値を超えないと判定し、後述する露光条件決定処理は、顔領域のサイズから推定された撮影距離に基づいて行われる。
【００９４】
［第２の例／人物が被写体］
図１６（Ａ）に示すような人物が被写体の場合であっても、誤差が生じ、図１６（Ｂ）に示す顔領域のサイズから推定される撮影距離と、図１６（Ｃ）に示すコントラスト値から算出される撮影距離とが一致しないこともある。その差が大きい場合、撮影距離評価回路６２は、これらの差異値が所定の閾値を超えると判定し、瞬き検知回路６３による瞬き検知処理が行われる。瞬き検知処理により、被写体から瞬きが検出され、後述する露光条件決定処理は、顔領域のサイズから推定された撮影距離に基づいて行われる。
【００９５】
［第３の例／非人物が被写体］
図１７（Ａ）に示すような非人物（例えば、雪だるま）が被写体の場合であっても、顔抽出回路６０によって顔領域が抽出されることもある。このとき、図１７（Ｂ）に示す顔領域のサイズから推定される撮影距離と、図１７（Ｃ）に示すコントラスト値から算出される撮影距離とが一致しないこともある。撮影距離の推定値と算出値とが一致せず、撮影距離評価回路６２によってこれらの差異値が所定の閾値を超えると判定された場合、瞬き検知回路６３による瞬き検知処理が行われる。瞬き検知処理により、被写体から瞬きが検出されず、後述する露光条件決定処理は、ＡＦ検出回路５３で算出される撮影距離に基づいて行われる。
【００９６】
［エラー表示］
また、撮影距離の推定値と算出値との差異値が所定の閾値を超えると判定され、且つ瞬きが検出されない場合には、顔抽出回路６０によって抽出された顔領域が人物ではない旨のエラー表示がＬＣＤ２０に表示される。例えば、図１８に示すように、ＣＰＵ３１によってエラー表示８２がＬＣＤ２０に表示される。ユーザは、エラー表示８２が表示されることによって、顔抽出回路６０によって抽出された顔領域が人物ではない旨を知ることができる。同様に、顔抽出回路６０によって画像全体から顔領域が全く抽出されない場合には、例えば、図１９に示すような、画像全体から顔領域が抽出されなかった旨のエラー表示８３がＬＣＤ２０に表示される。これらエラー表示８２，８３が表示される場合、後述する露光条件決定処理は、ＡＦ検出回路５３で算出される撮影距離に基づいて行われる。また、エラー表示８２，８３の表示に併せてスピーカ４３から警告音を発しても良い。
【００９７】
［露光条件決定］
露光条件制御回路６４は、ＡＦ検出回路５３によって算出された撮影距離や、撮影距離評価回路６２によって推定された撮影距離に基づいて、絞り２５の絞り量、ストロボ発光部１３の発光量、その他の露光条件を決定する露光条件決定処理を行う。顔抽出回路６０によって複数の顔領域が抽出された場合には、露光条件制御回路６４は、詳しくは後述するように、原則として顔領域毎に露光条件を決定する。但し、被写界深度の範囲内に複数の顔領域が収まる場合においては、露光条件制御回路６４は、それら顔領域をグループとして分類し、グループ毎に露光条件を決定する。なお、被写界深度は、ピントの合う撮影距離の範囲のことであり、ＲＯＭ５２に予め記憶された数値データに基づいて、ズームレンズ２４の位置や絞り２５の絞り量などからＣＰＵ３１によって算出される。
【００９８】
［顔領域の分類］
露光条件制御回路（差分値算出手段）６４は、各顔領域までの撮影距離を比較してその差分値を算出する。また、露光条件制御回路（第１判定手段）６４は、被写界深度の範囲内に各差分値が収まるか否かを判定する。図１１（Ａ）に示す画像から、甲田さん６６、乙川さん６７、及び丁林さん６９の顔領域が抽出された場合を例に説明する。図２０（Ａ）に示すように、乙川さん６７と丁林さん６９との撮影距離の差分値は小さく、乙川さん６７と丁林さん６９とは、被写界深度の範囲内に収まると判定される。一方、甲田さん６６と、乙川さん６７や丁林さん６９との撮影距離の差分値は大きく、甲田さん６６は、乙川さん６７や丁林さん６９と同一の被写界深度の範囲内に収まらないと判定される。その結果、甲田さん６６の第１グループ８６と、乙川さん６７と丁林さん６９の第２グループ８７との２つのグループに分類される。
【００９９】
［顔領域の再分類］
顔領域が２つ以上のグループに分類され、且つ、絞り２５が最大限絞られた最大絞り状態ではない場合、露光条件制御回路６４は上記分類をリセットした上、図２０（Ｂ）に示すように、絞り２５を絞って被写界深度を深くして改めて顔領域をグループとして分類する。その結果、甲田さん６６の第１グループ８６と、乙川さん６７と丁林さん６９の第２グループ８７との２つのグループに分類される。被写界深度を深くすることで、分類されるグループの個数が減少する可能性がある。
【０１００】
［露光条件の決定順］
露光条件制御回路６４は、サイズの大きい顔領域を含むグループから順に露光条件を決定する。仮に、顔領域のサイズが大きい方から順に、乙川さん６７、丁林さん６９、甲田さん６６であるとする。この場合、グループ８６，８７毎に見て、最も大きいサイズの顔領域は、第１グループ８６は甲田さん６６であり、第２グループは乙川さん６７である。これら２人６６，６７の顔領域のサイズは、大きい方から順に乙川さん６７、甲田さん６６である。よって、サイズの大きい顔領域の乙川さん６７を含む第２グループ８７から、甲田さん６６を含む第１グループ８６の順に露光条件決定処理が行われる。
【０１０１】
［人物連写／撮影順序］
露光条件制御回路６４によって複数の露光条件が決定した場合、ＣＰＵ（連写制御手段）３１は、その決定される順に従って各露光条件で本撮影を連続実行させる。本撮影の連続実行の開始前には、本撮影が何回実行されるかの通知として、例えば図２１に示すように、撮影回数表示９０がＬＣＤ２０に表示される。また、本撮影の連続実行時には、直前の本撮影によって取得された画像がＬＣＤ２０に順次表示される。
【０１０２】
以下、上記第１実施形態のデジタルカメラ１１（図１、図２参照）の作用について図面を参照しながら説明する。図２２に示すように、複数の人物を被写体として撮影をする場合には、先ず、電源ボタン１６を押圧操作して電源をＯＮにする。電源がＯＮの時、機能モードダイヤル１８のつまみを切り替えて人物連写モードにすると、ＬＣＤ２０には、制御領域ＡＡ〜ＤＦに区画されたスルー画像が表示される（図１０参照）。ユーザは、ＬＣＤ２０に直接触れて被写体が映る制御領域ＡＡ〜ＤＦを仮選択する。仮選択された制御領域は、背景色が濃くなり、ユーザは仮選択された制御領域を知ることができる（図１１（Ａ）参照）。なお、互いに隣接する制御領域が仮選択された場合、互いに隣接する制御領域は、全体として１つの制御領域として扱われることになる。その後シャッタボタン１７を押圧操作することで、制御領域の選択が確定する。
【０１０３】
制御領域の選択が確定すると、制御領域毎にパターン認識による顔領域抽出処理が施される。図２３に示すように、先ず、ＡＦ検出回路５３が被写体までの撮影距離を算出する。撮影距離が近い場合、画像サイズ制御回路６２が画像を縮小する（図６（Ａ）、図６（Ｂ）参照）。一方、撮影距離が遠い場合、画像サイズ制御回路６２が画像を拡大する（図７（Ａ）、図７（Ｂ）参照）。
【０１０４】
また、図２４に示すように、ズームレンズ２４が望遠（Tele）側にある場合、画像サイズ制御回路６２が画像を縮小する（図８（Ａ）、図８（Ｂ）参照）。一方、ズームレンズ２４が広角（Wide）側にある場合、画像サイズ制御回路６２が画像を拡大する（図９（Ａ）、図９（Ｂ）参照）。そして、顔抽出回路６０は、パターン認識によって顔領域を検索する。検索によって顔領域が抽出されなかった場合、画像サイズ制御回路６２が画像を縮小してから、改めて顔抽出回路６０によって顔領域が検索される（図５（Ａ）、図５（Ｂ）参照）。
【０１０５】
そして、図２５に示すように、選択された制御領域から顔領域が抽出されない場合、エラー表示７７をＬＣＤ２０に表示してユーザに対して警告する（図１２参照）。セルフ撮影時には、補助光発光部１４を発光してユーザに対して警告する。さらに、顔抽出回路６０は、顔領域が抽出されなかった制御領域の周囲の第１仮想領域７９に対して顔抽出処理を施す。第１仮想領域７９からも顔領域が抽出されなかった場合、顔抽出回路６０は、その周囲の第２仮想領域８０に対しても顔抽出処理を施す（図１３（Ａ）参照）。
【０１０６】
顔領域が抽出された場合、図２６に示すように、撮影距離評価回路６２は、抽出された顔領域のサイズから被写体までの撮影距離を推定する。そして、その推定値と、ＡＦ検出回路５３で算出される撮影距離とを比較してその差異値を算出する。さらに、差異値が所定の閾値を超えるか否かを判定する。差異値が所定の閾値を超えない場合、撮影距離評価回路６２による推定値が撮影距離として決定する（図１５（Ａ）〜図１５（Ｃ）参照）。一方、差異値が所定の閾値を超える場合、瞬き検出回路６３によって瞬きの有無を検知する。瞬きが検出される場合、撮影距離評価回路６２による推定値が撮影距離として決定する（図１６（Ａ）〜図１６（Ｃ）参照）。一方、瞬きが検出されない場合、エラー表示８２をＬＣＤ２０に表示したり、スピーカ４３から警告音を発したりして、ユーザに対して警告する（図１８）。そして、ＡＦ検出回路５３による算出値が撮影距離として決定する（図１７（Ａ）〜図１７（Ｃ）参照）。
【０１０７】
複数の顔領域が抽出された場合、図２７に示すように、露光条件制御回路６４は、各顔領域までの撮影距離を比較してその差分値を算出する。そして、ＣＰＵ３１によって算出される被写界深度の範囲内に各差分値が収まるか否かを判定する（図２０（Ａ）参照）。各差分値が被写界深度の範囲内に収まらなく、且つ、絞り２５が最大限絞られた最大絞り状態ではない場合、絞り２５を絞って被写界深度を深くして改めて上記判定をする（図２０（Ｂ）参照）。さらに、露光条件制御回路６４は、顔領域を被写界深度毎にグループに分類し、グループ毎に露光条件を決定する。
【０１０８】
ＬＣＤ２０に撮影回数表示９０を表示し、本撮影が何回実行するかを通知する（図２１参照）。そして本撮影を連続実行する。本撮影の連続実行時には、直前の本撮影によって取得された画像がＬＣＤ２０に順次表示される。
【０１０９】
［レンズユニット取外し式］
なお、上記第１実施形態において、本体に撮影レンズ１２を内蔵するデジタルカメラ１１の場合を例に説明したが、これに限定されるのではなく、撮影レンズ１２を内蔵するレンズユニットが本体から取外し可能なレンズユニット取外し式のデジタルカメラであっても良い。
【０１１０】
［第２実施形態］
以下、本発明の第２実施形態のデジタルカメラ１０１について図面を参照しながら説明する。但し、本発明はここに挙げる実施形態に限定されるものではない。
【０１１１】
図２８に示すように、デジタルカメラ１０１は、レンズユニット取外し式のカメラであり、本体１０２にレンズ鏡筒１０３を着脱自在に取り付けて使用する。レンズ鏡筒１０３は、内部に撮影レンズ１２を支持しており、又、後端に本体マウント（図示せず）を備える。その本体マウントは、本体１０２の前面に設けたレンズマウント（図示せず）に係止される。マウント結合は、レンズ鏡筒１０３を撮影光軸と平行な方向から本体マウントをレンズマウントに挿入し、その後、撮影光軸を中心にレンズ鏡筒１０３を一方向に所定角度だけ回転させることでなされる。このようなマウント同士の結合としては、周知のネジ式のスクリュマウントや複数の爪を持つバヨネットマウントなどを採用することができる。
【０１１２】
本体１０２の上面には、電源ボタン１６、シャッタボタン１７、及び機能モードダイヤルボタン１８の各種操作部が設けられている。また、本体１０２の背面には、液晶表示部（ＬＣＤ）２０（図２９参照）の他、操作部が設けられている。
【０１１３】
図２９に示すように、レンズ鏡筒１０３には、撮影レンズ１２、モータ２８〜３０、モータドライバ３２〜３４の他、レンズ側電池１０５が設けられている。レンズ側電池１０５は、電源がＯＮの時、レンズ鏡筒１０３の各部へ電力を供給する。本体１０２側の電池１９とは別にレンズ鏡筒１０３側にもレンズ駆動用のレンズ側電池１０５を設けたので、人物連写モードにおける連続的な本撮影をスムーズに実行することができる。
【０１１４】
レンズ鏡筒１０３の後端のボディマウントには、レンズ側接点部１０７（図２９参照）が設けられている。レンズ側接点部１０７は、レンズ鏡筒１０３と本体１０２との間での電気信号の教授を行うための複数の接点で構成されている。つまり、ボディマウントには、本体側からレンズ鏡筒１０３側のモータドライバ３２〜３４やレンズ側電池１０５に、信号を送るための接点群が設けられている。また、本体１０２の前面のレンズマウントにも、本体側接点部１０８（図２９参照）が設けられている。本体側接点部１０８は、レンズ側接点部１０７と同じ数の接点で構成されており、ボディマウントがレンズマウントに取り付けられたとき、本体側及びレンズ側接点部１０８，１０７同士が接続されて電気的接続がなされる。なお、第１実施形態のデジタルカメラ１１と同じ構成については同一の符号を付して詳細な説明は省略する。
【０１１５】
また、上記第２実施形態のデジタルカメラ１０１（図２８参照）の作用は、第１実施形態のデジタルカメラ１１と略同一であり、その説明を省略する。
【０１１６】
［顔抽出処理］
なお、上記各実施形態において、顔抽出処理は、サイズの固定された顔パターン６５を用いて検索する場合を例に説明したが、これに限定されるのではなく、顔パターン６５のサイズを変化させて検索するのであっても良い。この場合のパターン認識による顔抽出処理は、図３０（Ａ）に示すように、顔パターン６５をスライドさせながら画像上を検索し、顔パターン６５の同一の範囲と認定される領域を識別して顔領域として抽出する。そして、画像サイズをそのままにして、図３０（Ｂ）に示すように、顔抽出回路６０が顔パターン６５を拡大してから、改めて拡大された顔パターン６５をスライドさせて画像上を検索し、顔領域を抽出する。なお、この場合、画像サイズはそのままで良く、画像サイズ制御回路６１が処理を施すことはない。
【０１１７】
［被写体／近い］
ところで、被写体までの撮影距離の遠近によって、画像中の顔領域のサイズは異なる。被写体が所定の距離より近い場合、画像中の顔領域は、図３１（Ａ）に示すように、顔領域は３２pixels×３２pixelsの正方領域の顔パターン６５より大きく、当初の顔パターン６５のサイズのままでは抽出されない。そこで、ＡＦ検出回路５３によって算出された被写体までの撮影距離が所定の距離より近い場合には、図３１（Ｂ）に示すように、顔抽出回路６０は、先ず、顔パターン６５を拡大してから、拡大された顔パターン６５をスライドさせて画像上を検索し、顔領域を抽出する。
【０１１８】
［被写体／遠い］
また、被写体が所定の距離より遠い場合、画像中の顔領域は、図３２（Ａ）に示すように、顔領域は３２pixels×３２pixelsの正方領域の顔パターン６５より小さく、当初の顔パターン６５のサイズのままでは抽出されない。そこで、ＡＦ検出回路５３によって算出された被写体までの撮影距離が所定の距離より遠い場合には、図３２（Ｂ）に示すように、顔抽出回路６０は、先ず、顔パターン６５を縮小してから、縮小された顔パターン６５をスライドさせて画像上を検索し、顔領域を抽出する。
【０１１９】
［ズームレンズ／望遠（Tele）］
また、ズームレンズ２４が望遠（Tele）側や広角（Wide）側にあるかによって、画像中の顔領域のサイズは異なる。ズームレンズ２４が所定の位置から望遠（Tele）側にある場合、画像中の顔領域は、図３３（Ａ）に示すように、顔領域は３２pixels×３２pixelsの正方領域の顔パターン６５より大きく、当初の顔パターン６５のサイズのままでは抽出されない。そこで、ＣＰＵ３１によってズームレンズ２４が所定の位置から望遠（Tele）側であると判断された場合には、図３３（Ｂ）に示すように、顔抽出回路６０は、先ず、顔パターン６５を拡大してから、拡大された顔パターン６５をスライドさせて画像上を検索し、顔領域を抽出する。
【０１２０】
［ズームレンズ／広角（Wide）］
また、ズームレンズ２４が所定の位置から広角（Wide）側にある場合、画像中の顔領域は、図３４（Ａ）に示すように、顔領域は３２pixels×３２pixelsの正方領域の顔パターン６５より小さく、当初の顔パターン６５のサイズのままでは抽出されない。そこで、ＣＰＵ３１によってズームレンズ２４が所定の位置から広角（Wide）側であると判断された場合には、図３４（Ｂ）に示すように、顔抽出回路６０は、先ず、顔パターン６５を縮小してから、縮小された顔パターン６５をスライドさせて画像上を検索し、顔領域を抽出する。
【０１２１】
つまり、図３５に示すように、ＡＦ検出回路５３によって算出される被写体までの撮影距離が近い場合、顔抽出回路６０が顔パターン６５を拡大する（図３１（Ａ）、図３１（Ｂ）参照）。一方、その撮影距離が遠い場合、顔抽出回路６０が顔パターン６５を縮小する（図３２（Ａ）、図３２（Ｂ）参照）。
【０１２２】
そして、図３６に示すように、ズームレンズ２４が望遠（Tele）側にある場合、顔抽出回路６０が顔パターン６５を拡大する（図３３（Ａ）、図３３（Ｂ）参照）。一方、ズームレンズ２４が広角（Wide）側にある場合、顔抽出回路６０が顔パターン６５を縮小する（図３４（Ａ）、図３４（Ｂ）参照）。その後、顔抽出回路６０は、パターン認識によって顔領域を検索する。検索によって顔領域が抽出されなかった場合、顔抽出回路６０は、顔パターン６５を拡大してから、拡大された顔パターン６５を用いて改めて顔領域を検出する（図３０（Ａ）、図３０（Ｂ）参照）。
【０１２３】
［領域選択］
また、上記各実施形態において、制御領域ＡＡ〜ＤＦを選択する選択手段は、ユーザがＬＣＤ２０に表示される制御領域ＡＡ〜ＤＦを直接触れることで仮選択するタッチパネルである場合を例に説明したが、これに限定されるのではなく、例えば、ＬＣＤ２０に表示されるカーソルを移動させて仮選択する十字ボタン２２であっても良い。
【０１２４】
また、上記各実施形態において、仮選択された制御領域は、背景色が濃くなる場合を例に説明したが、これに限定されるのではなく、例えば、図１１（Ｂ）に示すように、縁取る枠が表示されるのでも良い。
【０１２５】
［隣接する領域］
また、上記各実施形態において、隣接する制御領域を全体として１つの制御領域として扱う場合を例に説明したが、これに限定されるのではなく、例えば、図３７（Ａ）に示すように、頂点１１０を共有する制御領域ＢＥ及びＣＦが選択された場合、図３７（Ｂ）に示すように、その頂点１１０を共有する他の制御領域ＢＦ及びＣＥも選択されたものとみなし、頂点１１０を共有する全ての制御領域ＢＥ，ＢＦ，ＣＥ及びＣＦを全体として１つの制御領域として扱うのであっても良い。
【０１２６】
［処理順］
また、上記各実施形態において、顔抽出処理などの所定の処理は、選択された順に行われる場合を例に説明したが、これに限定されるのではない。例えば、画像の中心部に近い制御領域から順に行われるのでも良い。この場合、図１１（Ａ），図１１（Ｂ）に示す例においては、中心部に近い制御領域ＣＣを含む第２領域７１から、制御領域ＢＥ，ＣＥを含む第３領域７２、制御領域ＡＡを含む第１領域７０の順に所定の処理が行われる。又は、サイズの大きい制御領域から順に行われるのでも良い。この場合、図１１（Ａ），図１１（Ｂ）に示す例においては、４つの制御領域ＢＥ，ＢＦ，ＣＥ，ＣＦから構成される第３領域７２から、２つの制御領域ＣＢ，ＣＣから構成される第２領域７１、１つの制御領域ＡＡから構成される第１領域７０の順に所定の処理が行われる。
【０１２７】
［再抽出］
また、上記各実施形態において、選択された制御領域から顔領域が抽出されなかった場合、顔抽出処理を施す制御領域（仮想領域７９，８０）を段々と拡大して顔領域を抽出する場合を例に説明したが、これに限定されるのではなく、図１３（Ｂ）に示すように、選択されなかった残りの制御領域全体に顔抽出処理を施すのであっても良い。
【０１２８】
［露光条件の決定順］
また、上記各実施形態において、複数の顔領域が抽出されたとき、サイズの大きい顔領域から順に露光条件が決定する場合を例に説明したが、これに限定されるのではなく、画像の中心部に近い顔領域から順に露光条件が決定するのでも良い。
【０１２９】
［撮影順序］
また、上記各実施形態において、露光条件が決定される順に従って本撮影が連続実行される場合を例に説明したが、これに限定されるのではなく、例えば、焦点距離の小さい又は大きい露光条件の本撮影から順に連続実行されるのでも良い。
【図面の簡単な説明】
【０１３０】
【図１】デジタルカメラの外観斜視図である。
【図２】デジタルカメラの背面図である。
【図３】デジタルカメラの電気的構成を示すブロック図である。
【図４】顔抽出処理に用いる顔パターンの例を示す説明図である。
【図５】顔抽出処理の例を示す説明図である。
【図６】被写体が遠い場合の顔抽出処理の例を示す説明図である。
【図７】被写体が近い場合の顔抽出処理の例を示す説明図である。
【図８】ズームレンズが望遠（Tele）側に位置する場合の顔抽出処理の例を示す説明図である。
【図９】ズームレンズが広角（Wide）側に位置する場合の顔抽出処理の例を示す説明図である。
【図１０】制御領域に区画されたスルー画像をＬＣＤに表示した例を示す説明図である。
【図１１】制御領域が選択されたスルー画像をＬＣＤに表示した例を示す説明図である。
【図１２】選択された制御領域から顔が抽出されない旨のエラー表示をＬＣＤに表示した例を示す説明図である。
【図１３】顔領域を抽出する制御領域を段々に拡大する例を示す説明図である。
【図１４】顔領域のサイズと撮影距離との関係、及びコントラスト値と撮影距離との関係を示す説明図である。
【図１５】人物が被写体である場合の撮影距離の推定／測定結果例を示す説明図である。
【図１６】人物が被写体である場合の撮影距離の第２の推定／測定結果例を示す説明図である。
【図１７】非人物が被写体である場合の撮影距離の推定／測定結果例を示す説明図である。
【図１８】抽出された顔領域が人物ではない旨のエラー表示をＬＣＤに表示した例を示す説明図である。
【図１９】画像全体から顔が抽出されない旨のエラー表示をＬＣＤに表示した例を示す説明図である。
【図２０】被写界深度に基づく顔領域の分類例の説明図である。
【図２１】撮影回数の表示をＬＣＤに表示した例を示す説明図である。
【図２２】人物連写モードの撮影実行手順を説明するフローチャートである。
【図２３】撮影距離の遠近に応じた顔抽出処理を説明するフローチャートである。
【図２４】ズームレンズの位置に応じた顔抽出処理を説明するフローチャートである。
【図２５】顔領域の再抽出を説明するフローチャートである。
【図２６】撮影距離の決定を説明するフローチャートである。
【図２７】露光条件を決定するための顔領域の分類を説明するフローチャートである。
【図２８】レンズユニット取外し式のデジタルカメラの外観斜視図である。
【図２９】レンズユニット取外し式のデジタルカメラの電気的構成を示すブロック図である。
【図３０】顔抽出処理の例を示す説明図である。
【図３１】被写体が遠い場合の顔抽出処理の例を示す説明図である。
【図３２】被写体が近い場合の顔抽出処理の例を示す説明図である。
【図３３】ズームレンズが望遠（Tele）側に位置する場合の顔抽出処理の例を示す説明図である。
【図３４】ズームレンズが広角（Wide）側に位置する場合の顔抽出処理の例を示す説明図である。
【図３５】撮影距離の遠近に応じた顔抽出処理を説明するフローチャートである。
【図３６】ズームレンズの位置に応じた顔抽出処理を説明するフローチャートである。
【図３７】頂点を共有する制御領域が選択されたスルー画像をＬＣＤに表示した例を示す説明図である。
【符号の説明】
【０１３１】
１１，１０１  デジタルカメラ
１２  撮影レンズ
１３  ストロボ発光部
１４  補助光発光部
１５  赤外線センサ
１７  シャッタボタン
１９  電池
２０  液晶表示部（ＬＣＤ）
２１  ズームボタン
２４  ズームレンズ
２５  絞り
２６  フォーカスレンズ
２７  ＣＣＤイメージセンサ
３１  ＣＰＵ
４３  スピーカ
５３  ＡＦ検出回路
５７  評価領域抽出部
５８  コントラスト演算部
６０  顔抽出回路
６１  画像サイズ制御回路
６２  撮影距離評価回路
６３  瞬き検知回路
６４  露光条件制御回路
６５  顔パターン
７０〜７２  第１〜３領域
７７  エラー表示
７９，８０  第１，２仮想領域
８２，８３  エラー表示
８６，８７  第１，２グループ
９０  撮影回数表示
１０２  本体
１０３  レンズ鏡筒
１０５  レンズ側電池
【図１】
2008092009.tif 000003
【図２】
2008092009.tif 000004
【図３】
2008092009.tif 000005
【図４】
2008092009.tif 000006
【図５】
2008092009.tif 000007
【図６】
2008092009.tif 000008
【図７】
2008092009.tif 000009
【図８】
2008092009.tif 000010
【図９】
2008092009.tif 000011
【図１０】
2008092009.tif 000012
【図１１】
2008092009.tif 000013
【図１２】
2008092009.tif 000014
【図１３】
2008092009.tif 000015
【図１４】
2008092009.tif 000016
【図１５】
2008092009.tif 000017
【図１６】
2008092009.tif 000018
【図１７】
2008092009.tif 000019
【図１８】
2008092009.tif 000020
【図１９】
2008092009.tif 000021
【図２０】
2008092009.tif 000022
【図２１】
2008092009.tif 000023
【図２２】
2008092009.tif 000024
【図２３】
2008092009.tif 000025
【図２４】
2008092009.tif 000026
【図２５】
2008092009.tif 000027
【図２６】
2008092009.tif 000028
【図２７】
2008092009.tif 000029
【図２８】
2008092009.tif 000030
【図２９】
2008092009.tif 000031
【図３０】
2008092009.tif 000032
【図３１】
2008092009.tif 000033
【図３２】
2008092009.tif 000034
【図３３】
2008092009.tif 000035
【図３４】
2008092009.tif 000036
【図３５】
2008092009.tif 000037
【図３６】
2008092009.tif 000038
【図３７】
2008092009.tif 000039